(57)【要約】【課題】メタルジグの材料にかかわらず、速く沈み、使い勝手がよく、水中での浮遊感を得る。【解決手段】メタルジグ１１は、中央部が幅広で、端部に向かって幅が徐々に狭くなる細長いジグ本体１を備える。ジグ本体１は、一面１ａ側の長手方向および幅方向の中央部に複数の凹部１ｂが列状に配置され、凹部１ｂ内に、メタルジグ全体としての比重を調整する比重調整材２が挿入され、凹部１ｂは蓋３にて閉じられている。【選択図】図５
2019187385.tif 000002
【特許請求の範囲】
【請求項１】
中央部が幅広で、端部に向かって幅が狭くなるジグ本体を備えるメタルジグであり、
前記ジグ本体は、
少なくとも一方の面に配される複数の凹部と、
前記凹部内に挿入される、比重を調整する比重調整材と、
を備えることを特徴とする、
メタルジグ。
【請求項２】
前記複数の凹部は、
前記一方の面の幅方向の中央部に長手方向に沿って列状に配されている、
請求項１記載のメタルジグ。
【請求項３】
前記凹部が蓋により閉じられている、
請求項１又は２記載のメタルジグ。
【請求項４】
前記凹部は、断面円形であり、
前記蓋は、木材である、
請求項３記載のメタルジグ。
【請求項５】
前記ジグ本体は、
前記ジグ本体の他方の面に、長手方向に延びる凹みと、
前記凹みの幅方向両側の２本のキールと、を有する、
請求項１乃至４のいずれか１項に記載のメタルジグ。
【請求項６】
前記ジグ本体は、
前記道糸が結び付けられる側の端部が中央部に対し湾曲している、
請求項１乃至５のいずれか１項に記載のメタルジグ。
【請求項７】
前記複数の凹部は、
道糸が結び付けられる側とは反対側に片寄って設けられている、
請求項１乃至６のいずれか１項に記載のメタルジグ。
【請求項８】
前記ジグ本体は、
前記一方の面に直交する方向から見て、両端から中央部に向かって幅が徐々に広くなるように、かつ、その幅方向の中央部分を境にして両側に向かって厚みが徐々に薄くなるように形成され、
また、側方から見て厚みが全体的に薄く形成されているが、長手方向の両端から中央部に向かって徐々に厚みが厚くなるように形成されている、
請求項１乃至７のいずれか１項に記載のメタルジグ。
【請求項９】
前記ジグ本体と前記比重調整材とは、比重が異なる材料で構成されている、
請求項１乃至８のいずれか１項に記載のメタルジグ。
【請求項１０】
前記ジグ本体は、鉛合金からなり、
前記比重調整材は、鉛合金より比重が小さい浮力材である、
請求項９記載のメタルジグ。
【請求項１１】
前記ジグ本体は、アルミ合金からなり、
前記比重調整材は、アルミ合金より比重が大きい重量材である、
請求項９記載のメタルジグ。
【請求項１２】
前記ジグ本体は、錫合金からなり、
前記比重調整材は、錫合金より比重が大きい重量材である、
請求項９記載のメタルジグ。
【発明の詳細な説明】
【技術分野】
【０００１】
本発明は、水中に沈めた状態で使用され、魚を食い付かせることによって釣り上げるメタルジグに関する。
【背景技術】
【０００２】
一般に使用されるメタルジグ（疑似餌）は、一体化された金属の部材で形成されており、水中での抵抗を受け動作を生み出す外面的な形状の違いはあっても、内部は金属材料そのままである。
【０００３】
そのようなメタルジグは、従来、高比重金属が用いられていた。比重１０のメタルジグでは、機敏に反応するが、動きが速すぎるため、追随する大型魚をフッキングできず、Ｕターンしてしまう場合が多い。一方、比重を重くしたメタルジグは、機敏な動きは期待できないが、引き上げからジグが止まったときにつまり「水中で浮遊させたとき」にフッキングが多く得られ大型魚を獲ることができる。これは、労力を使わずに簡単に捕食したい大型魚の特徴によるものである。
【０００４】
つまり、大型魚の餌となる、いわしは、群れて一つの固まりを形成して泳いでいる。大型魚が接近してきたときには、群れを小さくして塊を作り、攻撃に備える体制を作る。大型魚の攻撃は、群れに突進して固まりを散らし、群れから離れた数匹を今度は尾びれでたたくことで、行われる。そして、群れから離れ弱ったイワシをゆっくりと捕食できるため、労力が少なく捕食できる。
【０００５】
このような弱ったイワシを表現するために、浮遊時間が長いメタルジグが必要である。メタルジグが水の比重と同じであれば、浮遊物のように長時間浮遊している。この釣りでは、メタルジグを速く沈ませることも重要であるが、これは軽いメタルジグの利点とはかけ離れている。
【０００６】
そこで、メタルジグの金属内部に空洞を設け、浮力材を内包し、自重や外面的形状による水の抵抗に加え、比重を調整して浮力による水中での動作を可能にした疑似餌としてのメタルジグが提案されている（例えば、特許文献１参照）。
【先行技術文献】
【特許文献】
【０００７】
【特許文献１】特開２０１５−２０８３２５号公報
【発明の概要】
【発明が解決しようとする課題】
【０００８】
ところで、アルミ合金は、比重２．７で、前述したような浮遊感を実現できる最も適した材料であるが、比重が小さいため、沈む速度が遅く、同船者と糸が絡む場合が多くなる。もう少し沈む速度を速くしたいという要求がある。一方、鉛合金の場合は、比重が大きいため、沈む速度が速すぎ、前述したような浮遊感を実現できない。もう少し沈む速度を遅くしたいという要求がある。
【０００９】
本発明は、ジグ本体の凹部に比重を調整できる材料を挿入することで、メタルジグの材料にかかわらず、速く沈み、使い勝手がよく、なおかつ水中での浮遊感（サスペンド状態）が得られるメタルジグを提供することを目的とする。
【課題を解決するための手段】
【００１０】
本発明に係る一の態様のメタルジグは、中央部が幅広で、端部に向かって幅が狭くなるジグ本体を備えるメタルジグであり、前記ジグ本体は、少なくとも一方の面に配される複数の凹部と、前記凹部内に挿入される、比重を調整する比重調整材とを備えることを特徴とする。
【００１１】
このようにすれば、比重調整材を凹部内に挿入することで、メタルジグ全体としての比重を軽くしたり重くしたりすることができる。よって、比重調整材を挿入することで比重を調整できるので、メタルジグの材料にかかわらず、速く沈み、使い勝手がよく、水中での浮遊感（サスペンド状態）を無理なく得ることができる。
【００１２】
また、複数の凹部は、後述のように幅方向の中央部に長手方向に沿って列状に配する構成としてもよく、その他の場所に配する構成としてもよい。また、複数の凹部は、一方の面にのみ設けることもでき、一方及び他方の双方の面に設けることもできる。
【００１３】
また、このメタルジグは、前記複数の凹部が、前記一方の面の幅方向の中央部に長手方向に沿って列状に配されていることが好ましい。このようにすれば、列状の複数の凹部に比重調整材を挿入して比重や重心を調整しやすい。また、全ての凹部に同素材・同比重の比重調整材を挿入してもよいし、異なる素材・比重の比重調整材を挿入してもよいし、所定の凹部にのみ比重調整材を挿入して、余りの凹部は空洞としてもよい。
【００１４】
また、このメタルジグは、前記凹部が蓋により閉じられていることが望ましい。また、前記凹部が断面円形であり、前記蓋が木材であってもよい。このようにすれば、外観を損ねることなく、比重調整材を設けることができる。
【００１５】
また、このメタルジグは、前記ジグ本体が、前記ジグ本体の他方の面に、長手方向に延びる凹みと、前記凹みの幅方向両側の２本のキールとを有する。このようにすれば、キールによって横振れが抑えられ、直進性が良く、水中での動きが安定し、ダート性能（横方向への直進性）を高めることができる。
【００１６】
また、このメタルジグは、前記ジグ本体が、前記道糸が結び付けられる側の端部が中央部に対し湾曲していることが望ましい。このようにすれば、道糸を引いても、道糸が結び付けられる側の端部に水圧がかかり、水平状態が維持される。
【００１７】
また、このメタルジグは、前記複数の凹部が、道糸が結び付けられる側とは反対側に片寄って設けられていることが望ましい。このようにすれば、先に沈む側に重心が位置するようになり、速やかな沈降が実現され、バーチカル（立て釣り）で大型魚類に有効である。
【００１８】
また、このメタルジグは、前記ジグ本体が、前記一方の面に直交する方向から見て、両端から中央部に向かって幅が徐々に広くなるように、かつ、その幅方向の中央部分を境にして両側に向かって厚みが徐々に薄くなるように形成され、また、側方から見て厚みが全体的に薄く形成されているが、長手方向の両端から中央部に向かって徐々に厚みが厚くなるように形成されている。このようにすれば、水中で動かした際の引き重りを軽くすることができる。
【００１９】
また、このメタルジグは、前記ジグ本体と前記比重調整材とは、比重が異なる材料で構成されている。このようにすれば、比重調整材によって、メタルジグの比重を容易に調整できる。また、メタルジグの重心やバランスを容易に調整することができる。
【００２０】
また、このメタルジグは、前記ジグ本体が鉛合金からなり、前記比重調整材が鉛合金より比重が小さい浮力材である、構造とすることができる。このようにすれば、全体を鉛合金で製造する場合に比べて、比重を小さくすることができ、落下速度（沈下速度）が遅くなり、水中での浮遊感（サスペンド状態）を得ることができる。比重調整材２（浮力体）があることで、回転しにくくなり、ダート性能がよくなる。
【００２１】
また、このメタルジグは、前記ジグ本体がアルミ合金からなり、前記比重調整材がアルミ合金より比重が大きい重量材である、構造とすることができる。このようにすれば、全体をアルミ合金で製造する場合に比べて、比重を大きくすることができ、水中での浮遊感（サスペンド状態）を確保して、落下速度を速くすることができる。
【００２２】
また、このメタルジグは、前記ジグ本体が錫合金からなり、前記比重調整材が錫合金より比重が大きい重量材である、構造とすることもできる。このようにすれば、比重調整材が挿入される側が下側となって泳ぎ、安定した動きが得られる。落下速度も速くなり、使い勝手がよくなる。
【発明の効果】
【００２３】
本発明は、比重調整材を凹部内に挿入することで、メタルジグ全体を同一材料に比べて、メタルジグ全体としての比重を軽くしたり重くしたりすることができる。よって、比重調整材を挿入することで比重を調整できるので、メタルジグの材料にかかわらず、速く沈み、使い勝手がよく、水中での浮遊感（サスペンド状態）を得ることができる。
【図面の簡単な説明】
【００２４】
【図１】（ａ）は本発明の一実施形態にかかるメタルジグの主たる構成要素であるジグ本体の平面図である。（ｂ）は前記ジグ本体を用いたメタルジグの平面図である。
【図２】同底面図である。
【図３】同側面図である。
【図４】同拡大正面図である。
【図５】図１におけるＡ−Ａ線における拡大断面図である。
【図６】（ａ）は別の実施形態にかかるメタルジグに用いるジグ本体を示す平面図である。（ｂ）は同底面図である。
【図７】（ａ）は別の実施形態にかかるメタルジグに用いるジグ本体を示す平面図である。（ｂ）は同底面図である。
【発明を実施するための形態】
【００２５】
以下、本発明に係る一実施形態を図面に基づき説明するが、本発明は下記実施形態に限定されるものではない。
【００２６】
図１（ａ）は本発明の一実施形態にかかるメタルジグの主たる構成要素であるジグ本体の平面図である。（ｂ）は前記ジグ本体を用いたメタルジグの平面図である。図２は同底面図、図３は同側面図、図４は拡大同正面図、図５は図１におけるＡ−Ａ線における拡大断面図である。
【００２７】
図１乃至図５に示すように、本実施形態に係るメタルジグ１１は、中央部が幅広で、端部に向かって幅が徐々に狭くなる細長い形状で厚みの薄いジグ本体１を備える。このジグ本体１は、一面１ａ側の長手方向および幅方向の中央部に複数の凹部１ｂが列状に配置され、凹部１ｂ内に、比重を調整する比重調整材２が挿入され、凹部１ｂは蓋３にて閉じられている。凹部１ｂは、水平断面が略円形で、蓋３が円形板状の木材である。
【００２８】
ジグ本体１は、長手方向の両端部に、アイと呼ばれ針金からなる環状部４，５を有し、一方の環状部（前側の環状部）４に道糸が取り付けられる。他方の環状部（後側の環状部）５には、釣り針などを取り付けることができる。
【００２９】
複数の凹部１ｂは、一面側の長手方向および幅方向の中央部であるが、道糸が結び付けられる一方の環状部４とは反対側に少し片寄って設けられている。これにより、先に沈む側に重心が位置するようになり、速やかな沈降が実現され、バーチカル（立て釣り）で大型魚類に有効になる。なお、複数の凹部１ｂは、片寄ることなく、中央部に設けもよいのはいうまでもない。
【００３０】
ジグ本体１の他面１ｃ側には、長手方向に延びる凹み１ｄと、凹み１ｄの幅方向両側の２本のキール１ｅとを有する。これにより、水中での動きが安定する。つまり、操作感がよくなり、機敏な動きをするようになる。
【００３１】
ジグ本体１は、細長い形状で鉛合金からなり、比重調整材２は、鉛合金より比重が小さい重量材（たとえば、スポンジ、木）が用いられる。つまり、この実施例は、金属材料（鉛合金）のみで形成する場合に比べて、メタルジグ１１全体としての比重を小さくするものである。
【００３２】
なお、ジグ本体１は、凹部１ｂ内に比重調整材２が挿入され、凹部１ｂは蓋３にて閉じられた後、表面層１１ａが形成されて、メタルジグ１１とされる。表面層１１ａは、表面を塗装してウレタンやセルロースなどでコーティングしたり、表面にオーロラシートを貼り付けたりして形成される（図５参照）。
【００３３】
このようにして形成されるメタルジグ１１は、基本的には、一面１ａに直交する方向から見て、両端から中央部に向かって幅が徐々に広くなるように形成され、その幅方向の中央部分を境にして両側に向かって厚みが徐々に薄くなるように形成されている。また、側方から見て厚みが全体的に薄く形成されているが、長手方向の両端から中央部に向かって徐々に厚みが厚くなるように形成されている。
【００３４】
よって、環状部４に道糸を取り付けて水中で引いた場合に抵抗が小さく引き重りが軽く、キール１ｅを設けることで横振れを抑え直進性を向上させている。自重で水中を自然に落下する場合には、比重調整材２が挿入されている一面１ａ側が上側となってすばやく落下し、鉛合金のみからなる場合に比べて、浮遊感が確保される。すばやく沈降させるには、比重を大きくする必要があるので、鉛合金からなるジグ本体１に、低比重の比重調整材２を分散させて挿入しているのである。この場合、重量バランスを考慮して比重調整材２を配分している。
【００３５】
また、浮遊感が最も得られる状態は、比重調整材２が一面１ａ側の長手方向および幅方向の中央部付近にあることが重要である。重量調整材２を、位置・数量も調整することで、微妙な比重の調整が行える。凹部１ｂ内に、所望の比重調整材２を挿入し、蓋３で凹部１ｂを塞ぐだけであるので、比重の調整を簡単に行え、製造が容易である。
【００３６】
道糸が結び付けられる前側の環状部４を引っ張って、水平に移動させるとき、中央部にある比重調整材２（浮力材）が上方に引っ張るように作用する。これにより、直進性が増し、安定したスイミング姿勢が得られる。つまり、メタルジグ１１は暴れすぎないように移動する。
【００３７】
ジグ本体１は、前側の端部が、中央部に対し（上側となって沈降する）一面１ａ側に少し湾曲していることから、道糸で引くと、道糸で引かれる前側の端部に上側から水圧がかかることになり、水平状態を維持しやすくなる。
【００３８】
次に、このメタルジグ１１の水中での動きについて説明する。
メタルジグ１１を目的とする棚まで沈めてから、ロッドを瞬間的に大きくあおって道糸を引き、メタルジグ１１に強い力を与えると、メタルジグ１１は引き重りが軽くなるように形成されているため、ロッドをあおる動作も大きな力は必要なく楽に行える。
【００３９】
ロッドをあおってメタルジグ１１に強い力を加えたあと、ロッドを元に戻して道糸を弛ませる。するとメタルジグ１１は与えられた力によって推進力を得て、比重調整材２（浮力材）が設けられている一面１ａを上にし、前側を進行方向に向けて、水平方向に向かってスライドするように真直ぐにダートする。ダートの際、メタルジグ１１はキール１ｅによって横振れが抑えられているため直進性が良く、ダート距離をかせぐことができる。
【００４０】
また、複数の凹部内１ｂに比重調整材２（浮力体）を挿入し、比重調整材２が内蔵されるようにしているので、比重調整材２が回転しない浮遊感と、横方向のそのまま移動するダート性能との確保が可能となる。よって、鉛合金１００％のメタルジグより、操作感が軽く、機敏な動きを出せる。
【００４１】
また、前方の高比重で水平に移動させるとき、比重調整材２（浮力体）が後方と上方に残るように引っ張る作用で、直進性が増大し、安定したスイミング姿勢が得られる。
【００４２】
そして、道糸に弛みがなくなってテンションがかかるとダートしているメタルジグ１１の動きが停止し、そのあと自重によって水中を落下する。その際、メタルジグ１１は一面１ａを上に向けた状態のままゆっくりと落下する。
【００４３】
このとき、メタルジグ１１が弱った魚のように見え、メタルジグ１１の落下中においては、大型魚がアタックしてくる確率が高くなる。
【００４４】
また、深場での横移動も、前側の端部が、中央部に対し一面１ａ側に少し湾曲しているので、その形状の効いたスローな入力で簡単に行える。
【００４５】
よって、ドテラ流し（斜め引き）で、メタルジグ１１について生命感を演出でき、棚を意識した攻略ができる。
【００４６】
比重調整材２は、ジグ本体１の大きさに応じて、内蔵位置（挿入位置）が調整され、落下速度（沈下速度）も速く、バーチカル（立て釣り）で大型魚類に有効である。
【００４７】
上記の実施形態では、ジグ本体１は、鉛合金からなり、比重調整材２は、鉛合金より比重が小さ浮力材とし、金属材料のみで形成する場合に比べて、メタルジグ１１全体としての比重を小さくなるように比重を調整しているが、本発明はそれに限定されるものではない。
【００４８】
例えば、ジグ本体１は、細長い形状でアルミ合金からなり、比重調整材２は、アルミ合金より比重が大きい重量材（たとえば、タングステン、鉛）を用いることもできる。この場合は、自重で水中を自然に落下する場合には、比重調整材２が挿入されている一面１ａ側が下側となって、アルミ合金のみからなる場合に比べて、所定の深さまですばやく落下し、他面１ｃ側のアルミ合金の部分によって、浮遊感が確保される。すばやく沈降させるには、ジグ本体１をアルミ合金のみで形成するよりも、比重を大きくする必要があるので、アルミ合金からなるジグ本体１に、高比重の比重調整材２を分散させて挿入しているのである。この場合も、重量バランスを考慮して配分している。
【００４９】
また、ジグ本体１は、錫合金からなり、比重調整材２は、錫合金より比重が大きい重量材（高比重のタングステン、鉛合金）を用いることもできる。前述した場合と同様に、比重調整材２（重量材）が挿入される側が下側となって泳ぎ、安定した動きが得られる。落下速度も速くなり、使い勝手がよくなる。
【００５０】
前記実施の形態では、凹部の数は４つであるが、本発明においては，その数は限定されないのはもちろんである。例えば図６（ａ）（ｂ）に示すように、ジグ本体１Ａの一面１Ａａ側に設ける凹部１Ａｂの数を２つとしたり、図７（ａ）（ｂ）に示すように、ジグ本体１Ｂの一面１Ｂａ側に設ける凹部１Ｂｂの数を９つとすることができる。これらの実施の形態では、環状部４Ａ，４Ｂ，５Ａ，５Ｂを有するなどの基本的な全体形状は同じであるが、他面１Ａｃ、１Ｂｃにおいて、長手方向に延びる凹みやキールを省略している。
【００５１】
前記実施の形態では、すべての凹部に同じ比重調整材を挿入するようにしているが、凹部毎に別の種類の比重調整材を挿入するようにしてもよい。また、重量バランスなどを考慮して、ジグ本体と同じ材質の比重調整材を挿入してよい。目的に応じて、比重調整材を適宜変更することができる。
【符号の説明】
【００５２】
１，１Ａ，１Ｂ  ジグ本体
１ａ，１Ａａ，１Ｂａ  一面
１ｂ，１Ａｂ，１Ｂｂ  凹部
１ｃ，１Ａｃ，１Ｂｃ  他面
１ｄ  凹み
１ｅ  キール
２  比重調整材
３  蓋
４，４Ａ，４Ｂ，５，５Ａ，５Ｂ  環状部
１１  メタルジグ
１１ａ  表面層
【図１】
2019187385.tif 000003
【図２】
2019187385.tif 000004
【図３】
2019187385.tif 000005
【図４】
2019187385.tif 000006
【図５】
2019187385.tif 000007
【図６】
2019187385.tif 000008
【図７】
2019187385.tif 000009